(57)【要約】【課題】  地中に埋込んだ杭の鉛直度に狂いがあっても、その埋込まれた杭の上部に結合して支持される仮囲いパネル等の支柱を、その鉛直度を簡単に修正しつつ支持杭に結合させて支持することができるようにした支持杭と、その杭に支柱を鉛直姿勢で結合支持させるための締結装置を提供すること。【解決手段】  仮囲い用支柱の支持杭１と、この杭１の上部に脱着可能に締結される支柱３２と、これら両者間に介在して前記支柱３２の鉛直度を調節すると共に当該支柱３２と前記杭１の締結をする締結機構１１とを備え、前記締結機構１１は、前記杭１の上端に結合される第一フランジ板１２と支柱下端に結合される第二フランジ板１４とが、いずれか一方のフランジ板と一体のドーム状部１３を介して対向し、かつ、前記ドーム状部１３に当接したフランジ板１４が、前記支柱３２の鉛直度を調節するために、水平面内での傾きを変更可能に締結される締結手段１５を備えたこと。【選択図】  図１
2006214205.tif 000002
【特許請求の範囲】
【請求項１】
仮囲い用支柱の支持杭と、この杭の上部に脱着可能に締結される支柱と、これら両者間に介在して前記支柱の鉛直度を調節すると共に当該支柱と前記杭の締結をする締結機構とを備え、前記締結機構は、前記杭の上端に結合される第一フランジ板と支柱下端に結合される第二フランジ板とが、いずれか一方のフランジ板と一体のドーム状部を介して対向し、かつ、前記ドーム状部に当接したフランジ板が、前記支柱の鉛直度を調節するために、水平面内での傾きを変更可能に締結される締結手段を備えたことを特徴とする仮囲い支柱の支持杭。
【請求項２】
締結手段は、２つのフランジ板の間に架設された複数本のボルトナット又は締付幅を変更できるクランプ体で構成された請求項１の支持杭。
【請求項３】
支持杭は下端に向かって先細りの錐形状に形成されている請求項１又は２の支持杭。
【請求項４】
支柱下端側のフランジ板の外周上には、操作棒を脱着可能に装着するための操作棒装着部が形成されている請求項１〜３のいずれかの支持杭。
【請求項５】
支持杭の上端とその杭に支持される支柱下端の間に配置して前記杭の上端側に前記支柱を鉛直姿勢で支持し当該杭に結合するための締結機構であって、前記杭の上端に結合される第一フランジ板と、支柱に結合される第二フランジ板と、いずれか一方のフランジ板の上部に形成されたドーム状部と、前記両フランジ板の間を締結するボルト，ナットなどによる締結手段とを備え、第二フランジ板の第一フランジ板に対する対面角を前記締結手段の締結具合を調節することにより調整して、第二フランジ板に結合される支柱の鉛直度を調整するようにしたことを特徴とする支持杭と支柱の締結装置。
【請求項６】
第一フランジ板は予め支持杭の上端に固着されているか、又は、支持杭を地中に埋設するとき、若しくは、埋設してから当該杭の上端に固着する請求項１の締結装置。
【請求項７】
締結手段が複数本のボルトナット又は複数の締結幅を変更できるクランプ体で構成されている請求項５又は６の締結装置。
【請求項８】
第二フランジ板の外側周面には、操作棒を脱着可能に装着するための操作棒の装着部が形成されている請求項５〜７のいずれかの締結装置。
【発明の詳細な説明】
【技術分野】
【０００１】
本発明は、屋外における工事現場等にて仮設される仮囲いパネルやその他の各種の屋外仮設物（例えば、簡易フェンス、簡易道路標識、大型テント、仮設住宅等）の支柱を地面上に鉛直に設置するために使用される支柱の支持杭、及び、その支柱を前記杭に鉛直姿勢で支持させて結合する締結装置に関する。
【背景技術】
【０００２】
従来から、屋外における工事現場においては、図６及び図７に示すように、安全上、その他の見地からその現場を仮囲いパネルにより囲むことが行われているが、仮囲いパネルを地面ＧＲ上に設置する場合の一般的な設置態様は、次の通りである。まず、鋼管製の支柱の支持杭４２、４３を前後２列状で、横方向に所定間隔置きに地中にハンマー等によって打込み、次に、複数本のパネル支持用支柱４４の下端部を前列の複数本の杭４２の上端部に締め金具４５によって締結すると共に、前後の杭４２、４３の上端部間と、後列の杭４３の上端部と各支柱４４の上端側との間と、後列の杭４３の上端部間に、それぞれ補強用の鋼管４６、４７、４８を水平及び斜めに掛け渡してこれらを締め金具４５によってそれぞれ締結し、更に、上下複数本のパネル取付け用鋼管４９を複数本の支柱４４の前面側において、上，下、中間の複数箇所に架け渡し、締め金具４５によって水平状に締結している。
【０００３】
そして、最後に、複数本のパネル取付け用鋼管４９の前面に、工事区域の外側に向けて仮囲いを形成するパネル単体４１ａをそれぞれ引っ掛け金具５０によって、垂直状で互いに連結した状態に、着脱自在に係止することにより、仮囲いパネル４１の設置を完成するものであった。
【０００４】
しかし、このような、仮囲いパネル４１等の地面ＧＲ上への設置方法では、組立て工数が多く、作業効率が甚だ悪い。特に、複数本の杭４２、４３をハンマーなどによって地中に打込む際、これらの杭４２、４３の鉛直度に狂いが生じ易く、各杭４２，４３の鉛直度が狂うと各杭４２，４３の上端にそれぞれ締結される支柱４４の鉛直度にも狂いが生じて、仮囲い用の各パネル単体４１ａを鉛直状に設置することができなくなるという問題がある。
【０００５】
従って、杭４２、４３の地中へ打込む際、これらの杭４２、４３の鉛直度に狂いが生じないように、その打込み作業に多くの時間を掛けて慎重に行なわなければならず、これが作業効率の低さを助長している。また、杭４２，４３が鉛直に埋設できていない場合には、支柱４４と杭４２との結合時に、その締め金具４５によって支柱４４の鉛直性を出すようにしているので、一層作業効率が悪くなっている。
【発明の開示】
【発明が解決しようとする課題】
【０００６】
本発明は上記のような従来の仮囲いの設置状況による問題点に鑑み、地中に埋込んだ杭の鉛直度に狂いがあっても、その埋込まれた杭の上部に結合して支持される仮囲いパネル等の支柱を、その鉛直度を簡単に修正しつつ支持杭に結合させて支持することができるようにした支持杭と、その杭に支柱を鉛直姿勢で結合支持させるための締結装置を提供することを課題とする。
【課題を解決するための手段】
【０００７】
上記課題を解決することを目的としてなされた本発明の仮囲い用支柱の支持杭の構成は、仮囲い用支柱の支持杭と、この杭の上部に脱着可能に締結される支柱と、これら両者間に介在して前記支柱の鉛直度を調節すると共に当該支柱と前記杭の締結をする締結機構とを備え、前記締結機構は、前記杭の上端に結合される第一フランジ板と支柱下端に結合される第二フランジ板とが、いずれか一方のフランジ板と一体のドーム状部を介して対向し、かつ、前記ドーム状部に当接したフランジ板が、前記支柱の鉛直度を調節するために、水平面内での傾きを変更可能に締結される締結手段を備えたことを特徴とするものである。
【０００８】
また、本発明における支持杭と支柱の締結装置の構成は、支持杭の上端とその杭に支持される支柱下端の間に配置して前記杭の上端側に前記支柱を鉛直姿勢で支持し当該杭に結合するための締結機構であって、前記杭の上端に結合される第一フランジ板と、支柱に結合される第二フランジ板と、いずれか一方のフランジ板の上部に形成されたドーム状部と、前記両フランジ板の間を締結するボルト，ナットなどによる締結手段とを備え、第二フランジ板の第一フランジ板に対する対面角を前記締結手段の締結具合を調節することにより調整して、第二フランジ板に結合される支柱の鉛直度を調整するようにしたことを特徴とするものである。
【０００９】
上記の本発明支持杭は、下端に向かって先細りの錐形状に形成されているものが望ましい。また、本発明締結装置を適用する杭は、前記の錐形状杭のほか、公知の杭や他の形状の杭であってもよい。
【００１０】
また、本発明杭及び本発明締結装置では、支柱の鉛直度を修正するための締結手段を複数本のボルトナット、或は、締結幅を変更できるクランプ体で構成する。
【００１１】
更に、本発明では、支柱の鉛直度を修正するために杭と支柱の締結装置に、操作棒を脱着可能に装着するための装着部が形成されている。
【発明の効果】
【００１２】
本発明支持杭は、その杭の上部に仮囲いパネル等の支柱を締結する際、ドーム状部によってその支柱の鉛直度を簡単に修正して締結することができるので、仮囲いパネル等を鉛直姿勢で地面上に設置する作業の大幅な時間短縮をはかることができる。
【００１３】
支持杭と支柱を結合する本発明締結装置は、支持杭が地中に鉛直に埋設されない場合でも、その杭に支持される支柱を鉛直に立設することがができる。
【発明を実施するための最良の形態】
【００１４】
次に、本発明支持杭とこの杭を支柱へ締結装置の実施の形態例について、図１〜図４により説明する。
【００１５】
まず、図１，図２及び図３に示すように、本発明において支持杭１は、その下端１ａに向かって先細り形状の錐形状部２に構成されている。そして、錐形状部の外周には、螺旋状リブ２ａが形成されこの錐形状部２が構成されている。なお、本発明では、螺旋状の溝によっても錐形状部２を形成してもよい。前記杭１の錐形状部２の上半側は、少なくとも１段又は数段階のテーパー部３とそれぞれに連続した大径部４によってその上端１ｂに向かってほぼ階段状に先太りとなる形状に構成されている。
【００１６】
上記杭１の上端に設けられる支柱を支持して結合する手段は、後述する締結機構１１（以下、締結装置１１ともいう）が前記杭１の上端１ｂの上に設置されて構成される。即ち、締結機構１１は、杭１の上端１ｂにこの杭１の軸心に対して直角に固着された第一フランジ板１２と、そのフランジ板１２の上面中央に一体に設けられたドーム状部１３と、該ドーム状部１３の上に載せた形で当接する第二フランジ板１４と、両ブランジ板１３，１４の締結手段である複数本（図の例では４本）のボルトナット１５とによって構成されている。ここで、第二フランジ板１４の外周には円弧状の長穴による３個以上(この実施例では４個）のボルト挿通穴１６が形成されている。
【００１７】
また、第二フランジ板１４の外側周面には、このフランジ板１４の平面内での角度、或は、水平面に対する傾きを変更するためのツール（工具）となる操作棒Ｔの装着部となる穴１７が、少なくとも１個、図のこの実施例では４個形成されている。
【００１８】
図１〜図３の実施例において、支持杭１と、その杭１に支持される支柱を結合する締結機構１１は以上のように構成されていて、図４と図５に例示するように、屋外における工事現場にて、仮囲いパネル３１等を地面ＧＲ上に設置する場合に使用する。
【００１９】
まず、支持杭１を横方向に所定間隔置きに地中に埋込む。この埋込みは、杭１に縦荷重（垂直荷重）をかけた状態でこの杭１を回転操作することにより、錐形状部２のねじ作用を利用して、この杭１を地中内に容易に、垂直状に埋込む（ねじ込むこと）ことができる。なお、杭１に縦荷重をかけつつ回転を与える工具としては、一例として、さく岩機程度の大きさのエアドライバー状の工具を用いるとよい。
【００２０】
杭１が地中に埋設されたら、仮囲いパネル３１を支える支柱３２を各杭１の上部に締結機構１１によって後述するように鉛直姿勢で支持させて結合し、各支柱３２の上下部と中間に、複数本のパネル取付け用鋼管３４を締め金具３５によって水平状に締結してパネル支持枠体を形成する。
【００２１】
そして、パネル支持枠体におけるパネル取付け用鋼管３４の前面（工事区域とは反対側、例えば道路側）に、仮囲いパネル３１におけるパネル単体３１ａを、それぞれ引っ掛け金具３６によって、各パネル単体３１ａ同士が互いに垂直状に連結された状態に着脱自在に係止し、仮囲いパネル３１の設置を完成する。
【００２２】
本発明において、支持杭１に結合立設される各支柱３２は、図１に例示したＨ型鋼Ｓ１、或は、図２に例示した２本の鋼管を前後に並べて結合一体化した複合鋼材Ｓ２などの支柱３２が適宜使用できる。そして、これらの支柱３２の下端３２ａには、図３に示した杭１の上端１ｂに設けた第一フランジ板１２と同一形状の第二フランジ板１４が水平に固着されている。この第二フランジ板１４には、杭１の第一フランジ板１２に設けた複数本のボルト１５を通すための円弧長穴状をなすボルト挿通穴１６（図３参照）が形成されている。図３に示した穴１６は、フランジ板１２の外周に通じる切欠（図示せず）を備えたものであってもよい。切欠があるとボルトを通し易い。
【００２３】
ここで、地中内に埋込まれる各杭１は、必ずしも鉛直に埋設できるものではないから、鉛直度が狂ったものがある（殆んどの杭１は厳密な鉛直に立設されるものではないといってもよい）。
【００２４】
そこで、本発明においては、図１，図２に示すように、地中に埋込んだ各杭１の上部に各支柱３２を支持して結合する際に、各支柱３２の下部と一体の第二フランジ板１４を前記杭１の上部の第一フランジ板１２の上面にあるドーム状部１３の上に載置し、各支柱３２の鉛直度を下部のドーム状部１３の球面を利用してその都度簡単に調節できるようにしたのである。
【００２５】
各支柱３２の鉛直度の調節は、各杭１の上端の第一フランジ板１２と各支柱３２の下端の第二フランジ板１４に通した複数のボルトナット１５の締結度合を調節しつつ、第二フランジ板１４の装着部１７に工具Ｔを入れて当該フランジ板１４の傾きをドーム状部１３を支点にして変更することにより、ドーム状部１３の上で支柱下端のフランジ板１４の傾きを水平な向きに修正してからボルトナット１５を締結固定し、各支柱３２を各杭１の上に正確な鉛直度で固定することができるのである。本発明では、ボルトナット１５に代え、図示しないが、締結幅（上下幅）が変更できるクランプ体により２枚のフランジ板１２と１４の周縁を調整された上下のクランプ幅で緊圧して、フランジ板１４を水平に修正し固定することもできる。
【００２６】
以上の説明においては、ドーム状部１３が支持杭１の上端に設けた第一フランジ板１２の上に一体に形成されていたが、本発明においては、ドーム状部１３を、支柱３２の下端に設けたフランジ板１４の下面に、下向きに設けた態様を採ることができる。
【００２７】
ドーム状部１３がフランジ板１４に下面に下向きに設けられた場合も、支柱３２の鉛直度の調節は、図１〜図３により説明した先の実施形態の場合と同様である。
【００２８】
本発明における支持杭と支柱の結合をする締結機構１１は、当該機構１１を独立した部品として形成することにより本発明締結装置１１の一例に形成される。この締結装置１１は、支持杭側の第一フランジ板１２と支柱側の第二フランジ板１４と、両フランジ板１２，１４の間に介在させたドーム状部１３と、前記両フランジ板１２，１４をつなぐボルト・ナット１５などによる締結手段により構成されるものであるが、支持杭側の第二フランジ板１２は、予め支持杭１の上端に溶接やバヨネット結合などにより固着していてもよく、或は、締結装置１１を独立の部品として用意しておき、支持杭１を地中に埋設するとき、又は、埋設してから第一フランジ板１２を支持杭上端に固着するようにしてもよい。締結装置１１が独立部品であると、実施例の錐形状以外の態様に形成された支持杭と、この杭に結合して支持される支柱にも適用できるので便利である。
【産業上の利用可能性】
【００２９】
以上に本発明の実施の形態例について述べたが、本発明は上記の実施の形態例に限定されることなく、本発明の技術的思想に基づき各種の変更が可能である。例えば、上記の実施形態例では、地中埋込み用杭上に仮囲いパネルの支柱を締結する締結機構１１を説明したが、本発明は、屋外における小規模な工事現場等にて仮設される各種の屋外設置物等である、簡易フェンス、道路標識、大型テント、仮設住宅その他の仮設物の支柱を地面上に垂直に設置するために使用される地中埋込み用の支持杭、及び、その杭と支柱の締結装置としても有用である。
【図面の簡単な説明】
【００３０】
【図１】仮囲いパネルの支柱の一例と本発明支持杭との締結機構を説明する側面図。
【図２】仮囲いパネルの支柱の別例と本発明支持杭との締結機構を説明する側面図。
【図３】締結機構の第二フランジ板とドーム状部を説明するための平面図。
【図４】図１の杭と支柱を用いて仮設した仮囲いパネルの背面側を示した背面図。
【図５】図４の右側面図。
【図６】従来の仮囲いパネルの屋外設置構造における仮囲いパネルの背面側を示した背面図。
【図７】図６の右側面図。
【符号の説明】
【００３１】
１      本発明支持杭
１ａ    杭の下端
１ｂ    杭の上端
１１    締結機構
１２    杭の上端の第一フランジ板
１３    ドーム状部
１４    支柱下端の第二フランジ板
１５    ボルトナット
１６    ボルト挿通穴
Ｔ      操作棒
３１    仮囲いパネル
３２    支柱
３２ａ  支柱の下端
【図１】
2006214205.tif 000003
【図２】
2006214205.tif 000004
【図３】
2006214205.tif 000005
【図４】
2006214205.tif 000006
【図５】
2006214205.tif 000007
【図６】
2006214205.tif 000008
【図７】
2006214205.tif 000009